(57)【特許請求の範囲】
【請求項１】
複数の柱部分材を長手方向に互いに連結して形成されるＮ個の柱を持つ構造体を基礎面に起立する様に組み立てる構造体組立方法であって、
上部で作業員が作業できる作業台と前記作業台に固定され巻き掛けられたワイヤロープを巻上げまたは巻き下げできるＮ個の巻上機と前記巻上機に巻掛けられることをできるＮ個の作業台昇降用ワイヤロープと前記作業台昇降用ワイヤロープを連結され柱部分材の上端部に着脱可能に固定できる少なくともＮ個の作業台吊金具とを準備する準備工程と、
上端部にＮ個の前記作業台吊金具を各々に固定したＮ個の第一の柱部分材をクレーンで吊り上げて、Ｎ個の第一の柱部分材の下端部を基礎面に各々に固定する第一固定工程と、
前記作業台をＮ個の第一の柱部分材に囲まれた空間に配置し、第一の柱部分材に固定された前記作業台吊金具から垂れ下がる前記作業台昇降用ワイヤロープを前記巻上機に巻掛け、前記巻上機を駆動して前記作業台を第一の柱部分材の上端部の近傍まで上昇させる第一上昇工程と、
前記作業台を第一の柱部分材に着脱可能に連結した後で、前記作業台昇降用ワイヤロープを送り出して緩め、前記作業台吊金具を第一の柱部分材から外す第一掛け替え工程と、
上端部に第一の柱部分材から外されたＮ個の前記作業台吊金具とは異なるＮ個の前記作業台吊金具を固定されたＮ個の第二の柱部分材をクレーンで吊り上げて、Ｎ個の第二の柱部分材の下端部をＮ個の第一柱部分材の上端部に各々に固定する第二固定工程と、
第二の柱部分材に固定された前記作業台吊金具から垂れ下がった前記作業台昇降用ワイヤロープを前記巻上機に巻掛けた後で、前記作業台を第一の柱部分材から外し、前記巻上機を駆動して前記作業台を第二の柱部分材の上端部の近傍まで上昇させる第二上昇工程と、
を備える、
前記第一掛け替え工程でＮ個の前記作業台吊金具をＮ個の第一の柱部分材から各々に外した後に、次の工程を実施する間に外した前記作業台吊金具を第三の柱部分材にボルト結合する、
ことを特徴とする構造体組立方法。
【請求項２】
前記作業台を第二の柱部分材に着脱可能に連結した後で、前記作業台昇降用ワイヤロープを送り出して緩め、前記作業台吊金具を第二の柱部分材から外す第二掛け替え工程と、
第１の柱部分材から外した前記作業台吊金具を固定された第三の柱部分材をクレーンで吊り上げて、Ｎ個の第三の柱部分材の下端部をＮ個の第二の柱部分材の上端部に各々に固定する第三固定工程と、
第三の柱部分材に固定された前記作業台吊金具から垂れ下がった前記作業台昇降用ワイヤロープを前記巻上機に巻掛けた後で、前記作業台を第二の柱部分材から外し、前記巻上機を駆動して前記作業台を第三の柱部分材の上端部の近傍まで上昇させる第三上昇工程と、
を備え、
前記準備工程が少なくとも２Ｎ個の前記作業台吊金具を準備する、
柱が、下から第一の柱部分材、第二の柱部分材、第三の柱部分材、・・・の順に直列に並んで結合されたものであり、
第Ｍの柱部分材から外した前記作業台吊金具を第Ｍ＋２の柱部分材にボルト結合して順に用いる、
ことを特徴とする請求項１に記載の構造体組立方法。
【請求項３】
前記準備工程が一の部分を前記作業台に連結し他の部分を柱部分材の上部に固定された前記作業台保持用連結部材に着脱可能に連結する作業台保持具を準備し、
前記第一掛け替え工程が前記作業台保持具を介して前記作業台と前記作業台保持用連結部材とを連結して前記作業台を第一の柱部分材に着脱可能に連結し、
前記第二上昇工程が前記作業台保持具と前記作業台保持用連結部材との連結を解いて前記作業台を第一の柱部分材から外す、
前記作業台保持用連結部材が、前記柱部分材に固定された部材であり、
前記作業台保持具が、上端部を前記作業台保持用連結部材にボルト結合でき、下端部を作業台に設けられたアイプレートにボルト結合できる、
ことを特徴とする請求項１に記載の構造体組立方法。
【請求項４】
前記作業台吊金具が柱部分材の上端部に設けられ他の柱部分材に固定するためのガセットプレートを結合するためのボルト穴にボルト結合でき、
前記作業台保持用連結部材が前記ボルト穴より下方の位置に固定された板部材でできている、
前記作業台保持用連結部材が、柱部分材の上端部に設けられ他の柱部分材に固定するためのガセットプレートを結合するためのボルト穴にボルト結合される前記ガセットプレートと干渉しない様に、柱部分材に固定される、
前記作業台吊金具と前記作業台保持用連結部材とが別個の部材である、
ことを特徴とする請求項３に記載の構造体組立方法。
【請求項５】
複数の柱部分材を長手方向に互いに連結して形成されるＮ個の柱を持つ構造体を基礎面に起立する様に組み立てるための昇降足場装置であって、
Ｎ個の柱部分材に囲まれた空間に配置でき上部で作業員が作業できる作業台と、
前記作業台の柱部分材に近い位置に固定され巻き掛けられたワイヤロープを巻上げまたは巻き下げできるＮ個の巻上機と、
前記巻上機に巻掛けられることをできるＮ個の作業台昇降用ワイヤロープと、
柱部分材の上端部に設けられ他の柱部分材に固定するためのガセットプレートを結合するボルト穴にボルト結合できる基礎部とＮ個の柱部分材に囲まれた空間の中央に向かって張り出し先端部に前記作業台昇降用ワイヤロープを連結される張り出し部とを有するＮ個の作業台吊金具と、
一の部分を前記作業台に連結し他の部分を柱部分材の上部の前記ボルト穴より下方の位置に固定された板部材である作業台保持用連結部材に着脱可能に連結する作業台保持具と、
を備え、
前記作業台保持用連結部材が、柱部分材の上端部に設けられ他の柱部分材に固定するためのガセットプレートを結合するためのボルト穴にボルト結合される前記ガセットプレートと干渉しない様に、柱部分材に固定される、
前記作業台吊金具と前記作業台保持用連結部材とが別個の部材である、
ことを特徴とする昇降足場装置。
【発明の詳細な説明】
【技術分野】
【０００１】
本発明は、Ｎ個の柱を持つ構造体を基礎面に起立する様に組み立てる構造体組立方法とその昇降足場装置とに係る。特に、柱を組み上げる作業要領に特徴のある構造体組立方法とその昇降足場装置とに関する。
【背景技術】
【０００２】
Ｎ個の柱を持つ構造体を基礎面に起立する様に組み立てる場合がある。
一般の柱は、複数の柱部分材を長手方向に互いに連結して形成される。
例えば、下から上へ順に並べられた第一の柱部分材、第二の柱部分材、第三の柱部分材・・・、第Ｍの柱部分材が、長手方向に互いに連結される。
例えば、立体式駐車装置は、４個の柱を持つ構造体をもつ。
この様な構造体を基礎面に起立する様に組み立てるのは、最下段の柱部分材を基礎面に組み立てて、その上に次の段の柱部分材を固定し、順に上の段の柱部分材を固定していく。
【０００３】
上記の作業をするのに、作業員の高所作業が発生する。
作業員が安全に作業をするために、各種の工夫がされていいる。
例えば、特別な治具を用意し、柱部分材の上部からワイヤロープを吊り下げ、作業台をワイヤロープに懸垂させ、作業員はその作業台に乗って作業をする。
上記の工夫により作業の安全性を確保できる。
【０００４】
そこで、作業の安全性を維持しつつ、作業効をより向上させたいという要請があった。
【０００５】
【特許文献１】特開平５−２０９４７２号
【発明の開示】
【発明が解決しようとする課題】
【０００６】
本発明は以上に述べた問題点に鑑み案出されたもので、簡易な構成で、安全でより効率良くＮ個の柱を持つ構造体を基礎面に起立する様に組み立てる構造体組立方法とそのための昇降足場装置とを提供しようとする。
【課題を解決するための手段】
【０００７】
上記目的を達成するため、本発明に係る複数の柱部分材を長手方向に互いに連結して形成されるＮ個の柱を持つ構造体を基礎面に起立する様に組み立てる構造体組立方法を、上部で作業員が作業できる作業台と前記作業台に固定され巻き掛けられたワイヤロープを巻上げまたは巻き下げできるＮ個の巻上機と前記巻上機に巻掛けられることをできるＮ個の作業台昇降用ワイヤロープと前記作業台昇降用ワイヤロープを連結され柱部分材の上端部に着脱可能に固定できる少なくともＮ個の作業台吊金具とを準備する準備工程と、上端部にＮ個の前記作業台吊金具を各々に固定したＮ個の第一の柱部分材をクレーンで吊り上げて、Ｎ個の第一の柱部分材の下端部を基礎面に各々に固定する第一固定工程と、前記作業台をＮ個の第一の柱部分材に囲まれた空間に配置し、第一の柱部分材に固定された前記作業台吊金具から垂れ下がる前記作業台昇降用ワイヤロープを前記巻上機に巻掛け、前記巻上機を駆動して前記作業台を第一の柱部分材の上端部の近傍まで上昇させる第一上昇工程と、前記作業台を第一の柱部分材に着脱可能に連結した後で、前記作業台昇降用ワイヤロープを送り出して緩め、前記作業台吊金具を第一の柱部分材から外す第一掛け替え工程と、上端部に前記作業台吊金具を固定されたＮ個の第二の柱部分材をクレーンで吊り上げて、Ｎ個の第二の柱部分材の下端部をＮ個の第一柱部分材の上端部に各々に固定する第二固定工程と、第二の柱部分材に固定された前記作業台吊金具から垂れ下がった前記作業台昇降用ワイヤロープを前記巻上機に巻掛けた後で、前記作業台を第一の柱部分材から外し、前記巻上機を駆動して前記作業台を第二の柱部分材の上端部の近傍まで上昇させる第二上昇工程と、を備える、ものとした。
【０００８】
上記本発明の構成により、第一固定工程で、上端部にＮ個の前記作業台吊金具を各々に固定したＮ個の第一の柱部分材をクレーンで吊り上げて、Ｎ個の第一の柱部分材の下端部を基礎面に各々に固定する。第一上昇工程で、前記作業台をＮ個の第一の柱部分材に囲まれた空間に配置し、第一の柱部分材に固定された前記作業台吊金具から垂れ下がる前記作業台昇降用ワイヤロープを前記巻上機に巻掛け、前記巻上機を駆動して前記作業台を第一の柱部分材の上端部の近傍まで上昇させる。第一掛け替え工程で、前記作業台を第一の柱部分材に着脱可能に連結した後で、前記作業台昇降用ワイヤロープを送り出して緩め、前記作業台吊金具を第一の柱部分材から外す。第二固定工程で、上端部に前記作業台吊金具を固定されたＮ個の第二の柱部分材をクレーンで吊り上げて、Ｎ個の第二の柱部分材の下端部をＮ個の第一柱部分材の上端部に各々に固定する。第二上昇工程で、第二の柱部分材に固定された前記作業台吊金具から垂れ下がった前記作業台昇降用ワイヤロープを前記巻上機に巻掛けた後で、前記作業台を第一の柱部分材から外し、前記巻上機を駆動して前記作業台を第二の柱部分材の上端部の近傍まで上昇させる。
その結果、柱部分材を基礎面に起立させ、その柱部分材の上に次の柱部分材を固定して柱を形成する際に、柱部分材の上部に作業台吊金具を着脱し、作業台吊金具から作業台昇降用ワイヤロープをおろし、作業台昇降用ワイヤロープを利用して作業台を上昇させて、柱部分材の下端部を柱部分材の上端部に固定する作業を作業台でおこない、作業の安全を確保しつつ、作業効率を向上させることをできる。
【０００９】
以下に、本発明の実施形態に係るいくつかの構造体組立方法を説明する。本発明は、以下に記載した実施形態のいずれか、またはそれらの中の二つ以上が組み合わされた態様を含む。
【００１０】
本発明の実施形態に係る構造体組立方法は、前記作業台を第二の柱部分材に着脱可能に連結した後で、前記作業台昇降用ワイヤロープを送り出して緩め、前記作業台吊金具を第二の柱部分材から外す第二掛け替え工程と、第１の柱部分材から外した前記作業台吊金具を固定された第三の柱部分材をクレーンで吊り上げて、Ｎ個の第三の柱部分材の下端部をＮ個の第二の柱部分材の上端部に各々に固定する第三固定工程と、第三の柱部分材に固定された前記作業台吊金具から垂れ下がった前記作業台昇降用ワイヤロープを前記巻上機に巻掛けた後で、前記作業台を第二の柱部分材から外し、前記巻上機を駆動して前記作業台を第三の柱部分材の上端部の近傍まで上昇させる第三上昇工程と、を備え、前記準備工程が少なくとも２Ｎ個の前記作業台吊金具を準備する。
【００１１】
上記本発明の構成により、第二掛け替え工程で、前記作業台を第二の柱部分材に着脱可能に連結した後で、前記作業台昇降用ワイヤロープを送り出して緩め、前記作業台吊金具を第二の柱部分材から外す。第三固定工程で、第１の柱部分材から外した前記作業台吊金具を固定された第三の柱部分材をクレーンで吊り上げて、Ｎ個の第三の柱部分材の下端部をＮ個の第二柱部分材の上端部に各々に固定する。第三上昇工程で、第三の柱部分材に固定された前記作業台吊金具から垂れ下がった前記作業台昇降用ワイヤロープを前記巻上機に巻掛けた後で、前記作業台を第二の柱部分材から外し、前記巻上機を駆動して前記作業台を第三の柱部分材の上端部の近傍まで上昇させる。
その結果、柱部分材に次の柱部分材を固定し、その柱部分材の上に次の柱部分材を固定して柱を形成する際に、柱部分材の上部に作業台吊金具を着脱し、作業台吊金具から作業台昇降用ワイヤロープをおろし、作業台昇降用ワイヤロープを利用して作業台を上昇させて、柱部分材の下端部を柱部分材の上端部に固定する作業を作業台でおこない、作業の安全を確保しつつ、作業効率を向上させることをできる。
【００１２】
本発明の実施形態に係る構造体組立方法は、前記準備工程が一の部分を前記作業台に連結し他の部分を柱部分材の上部に固定された作業台保持用連結部材に着脱可能に連結する作業台保持具を準備し、前記第一掛け替え工程が前記作業台保持具を介して前記作業台と前記作業台保持用連結部材とを連結して前記作業台を第一の柱部分材に着脱可能に連結し、前記第二上昇工程が前記作業台保持具と前記作業台保持用連結部材との連結を解いて前記作業台を第一の柱部分材から外す。
【００１３】
上記本発明の構成により、前記第一掛け替え工程で、前記作業台保持具を介して前記作業台と前記作業台保持用連結部材とを連結して前記作業台を第一の柱部分材に着脱可能に連結した後で、前記作業台昇降用ワイヤロープを送り出して緩める。前記第二上昇工程で、第二の柱部分材に固定された前記作業台吊金具から垂れ下がった前記作業台昇降用ワイヤロープを前記巻上機に巻掛けた後で、前記作業台保持具と前記作業台保持用連結部材との連結を解いて前記作業台を第一の柱部分材から外す。
その結果、作業台の重量を柱部分材の前記作業台保持用連結部材に預けたまま、柱部分材の上に次の柱部分材を置く作業と、作業台吊金具を他の柱部分材に連結する作業とを並行しておこなうことをでき、作業効率が向上する。
【００１４】
本発明の実施形態に係る構造体組立方法は、前記作業台吊金具が柱部分材の上端部に設けられ他の柱部分材に固定するためのガセットプレートを結合するためのボルト穴にボルト結合でき、前記作業台保持用連結部材が前記ボルト穴より下方の位置に固定された板部材でできている。
【００１５】
上記本発明の構成により、前記作業台吊金具が柱部分材の上端部に設けられ他の柱部分材に固定するためのガセットプレートを結合するためのボルト穴にボルト結合できる。前記作業台保持用連結部材が前記ボルト穴より下方の位置に固定された板部材でできている。
その結果、作業台の重量を柱部分材の前記作業台保持用連結部材に預けたまま、柱部分材と他の柱部分材とを固定するためのボルト穴を流用して前記作業台吊金具を柱部分材に着脱できる。
【００１６】
上記目的を達成するため、本発明に係る複数の柱部分材を長手方向に互いに連結して形成されるＮ個の柱を持つ構造体を基礎面に起立する様に組み立てるための昇降足場装置を、Ｎ個の柱部分材に囲まれた空間に配置でき上部で作業員が作業できる作業台と、前記作業台の柱部分材に近い位置に固定され巻き掛けられたワイヤロープを巻上げまたは巻き下げできるＮ個の巻上機と、前記巻上機に巻掛けられることをできるＮ個の作業台昇降用ワイヤロープと、柱部分材の上端部に設けられ他の柱部分材に固定するためのガセットプレートを結合するボルト穴にボルト結合できる基礎部とＮ個の柱部分材に囲まれた空間の中央に向かって張り出し先端部に前記作業台昇降用ワイヤロープを連結される張り出し部とを有するＮ個の作業台吊金具と、一の部分を前記作業台に連結し他の部分を柱部分材の上部に着脱可能に連結する作業台保持具と、を備えるものとした。
【００１７】
上記本発明の構成により、作業台がＮ個の柱部分材に囲まれた空間に配置でき上部で作業員が作業できる。巻き掛けられたワイヤロープを巻上げまたは巻き下げできるＮ個の巻上機が前記作業台の柱部分材に近い位置に固定される。Ｎ個の作業台昇降用ワイヤロープが前記巻上機に巻掛けられることをできる。Ｎ個の作業台吊金具が基礎部と張り出し部とを持つ。基礎部が柱部分材の上端部に設けられ他の柱部分材に固定するためのガセットプレートを結合するボルト穴にボルト結合できる。張り出し部がＮ個の柱部分材に囲まれた空間の中央に向かって張り出し先端部に前記作業台昇降用ワイヤロープを連結される。作業台保持具が一の部分を前記作業台に連結し他の部分を柱部分材の上部に着脱可能に連結する。
その結果、Ｎ個の作業台吊金具の張り出し部から各々に吊り下げられたＮ個の作業台昇降用ワイヤロープがＮ個の巻上機に各々に巻きかけられ、安定して作業台をＮ個の柱部分材に囲まれた空間の中を昇降でき、作業台保持具を用いて作業台の重量を柱部分材で直接に支持できる。
【発明の効果】
【００１８】
以上説明したように本発明に係る複数の柱部分材を長手方向に互いに連結して形成されるＮ個の柱を持つ構造体を基礎面に起立する様に組み立てる構造体組立方法は、その構成により、以下の効果を有する。
前記作業台昇降用ワイヤロープをぶら下げた前記作業台吊金具を固定した第一の柱部分材を吊り上げて基礎面に固定し、作業台昇降用ワイヤロープを作業台に設けた巻上機に巻きかけて、作業台を第一の柱部分材の上端部に昇降させ、作業台を第一の柱部分材に固定した後で、作業台昇降用ワイヤロープを送り出して緩めて前記作業台吊金具を外し、前記作業台昇降用ワイヤロープをぶら下げた前記作業台吊金具を固定した第二の柱部分材を吊り上げて、第一の柱部分材の上端部に固定する様にしたので、柱部分材を基礎面に起立させ、その柱部分材の上に次の柱部分材を固定して柱を形成する際に、柱部分材の上部に作業台吊金具を着脱し、作業台吊金具から作業台昇降用ワイヤロープをおろし、作業台昇降用ワイヤロープを利用して作業台を上昇させて、柱部分材の下端部を柱部分材の上端部に固定する作業を作業台でおこない、作業の安全を確保しつつ、作業効率を向上させることをできる。
また、２Ｎ個の作業台吊金具を準備し、第二の柱部分材に固定した作業台吊金具から下がった作業台昇降用ワイヤロープを作業台に設けた巻上機に巻きかけて、作業台を第二の柱部分材の上端部に昇降させ、作業台を第二の柱部分材に固定した後で、作業台昇降用ワイヤロープを送り出して緩めて前記作業台吊金具を外し、第一の柱部分材から外した前記作業台吊金具を固定した第三の柱部分材を吊り上げて、第一の柱部分材の上端部に固定する様にしたので、柱部分材に次の柱部分材を固定し、その柱部分材の上に次の柱部分材を固定して柱を形成する際に、柱部分材の上部に作業台吊金具を着脱し、作業台吊金具から作業台昇降用ワイヤロープをおろし、作業台昇降用ワイヤロープを利用して作業台を上昇させて、柱部分材の下端部を柱部分材の上端部に固定する作業を作業台でおこない、作業の安全を確保しつつ、作業効率を向上させることをできる。
また、前記作業台保持具を介して前記作業台と前記作業台保持用連結部材とを連結して前記作業台を第一の柱部分材に着脱可能に連結した後で、前記作業台昇降用ワイヤロープを送り出して緩め、第二の柱部分材に固定された前記作業台吊金具から垂れ下がった前記作業台昇降用ワイヤロープを前記巻上機に巻掛けた後で、前記作業台保持具と前記作業台保持用連結部材との連結を解いて前記作業台を第一の柱部分材から外す様にしたので、作業台の重量を柱部分材の前記作業台保持用連結部材に預けたまま、柱部分材の上に次の柱部分材を置く作業と、作業台吊金具を他の柱部分材に連結する作業とを並行しておこなうことをでき、作業効率が向上する。
また、前記作業台吊金具が柱部分材の上端部に設けられ他の柱部分材に固定するためのガセットプレートを結合するためのボルト穴にボルト結合でき、前記作業台保持用連結部材が前記ボルト穴より下方に固定された板部材でできている様にしたので、作業台の重量を柱部分材の前記作業台保持用連結部材に預けたまま、柱部分材と他の柱部分材とを固定するためのボルト穴を流用して前記作業台吊金具を柱部分材に着脱できる。
【００１９】
以上説明したように本発明に係る複数の柱部分材を長手方向に互いに連結して形成されるＮ個の柱を持つ構造体を基礎面に起立する様に組み立てるための昇降足場装置は、その構成により、以下の効果を有する。
Ｎ個の柱部分材に囲まれた空間に置かれた作業台とＮ個の柱部分材の近傍に位置する様に作業台に設けられた巻上機とを用意し、Ｎ個の柱部分材の上端部から空間の中央に向かって張り出した位置からＮ個の作業台昇降用ワイヤロープをたらして巻上機に巻きかけ、作業台保持具が作業台の重量を柱部分材に預けられる様にしたので、Ｎ個の作業台吊金具の張り出し部から各々に吊り下げられたＮ個の作業台昇降用ワイヤロープがＮ個の巻上機に各々に巻きかけられ、安定して作業台をＮ個の柱部分材に囲まれた空間の中を昇降でき、作業台の重量を柱部分材に預けて作業台吊金具を外すことができる。
従って、簡易な構成で、安全でより効率良くＮ個の柱を持つ構造体を基礎面に起立する様に組み立てる構造体組立方法とそのための昇降足場装置とを提供できる。
【発明を実施するための最良の形態】
【００２０】
以下、本発明を実施するための最良の形態を、図面を参照して説明する。なお、各図において、共通する部分には同一の符号を付し、重複した説明を省略する。
【００２１】
本発明の実施形態に係る昇降足場装置の構成を、図を基に、説明する。
図１は、本発明の実施形態に係る昇降足場装置の斜視図である。図２は、本発明の実施形態に係る昇降足場装置の斜視部分図である。図３は、本発明の実施形態に係る連結器の断面図である。図４は、本発明の実施形態に係る巻上機の断面図である。
。
【００２２】
昇降足場装置は、複数の柱部分材を長手方向に互いに連結して形成されるＮ個の柱を持つ構造体１０を基礎面に起立する様に組み立てるための装置である。
例えば、構造体１０は、４本の柱と複数の梁と複数の斜材とで構成される。
柱は、長手方向に連なった複数の柱部分材１１、１２、１３で構成される。
以下、長手方向に連なった複数の柱部分材を、下から順に、第一の柱部分材、第二の柱部分材、第三の柱部分材、第四の柱部分材・・・・、第Ｍの柱部分材と呼称する。
例えば、柱部分材は、垂直に立てられるＨ鋼材とＨ鋼材の側面に所定のピッチで固定される梁用ガセットプレートとで構成される。
Ｈ鋼材の端部には、柱部分材を固定するための構造が備えられる。
例えば、第一の柱部分材１１は、下端部に基礎面にボルト結合されるプランジが設けられ、上端部に第二の柱部分材１２の下端部に固定するための柱用ガセットプレートを固定する複数のボルト穴が設けられる。
例えば、第二の柱部分材１２，第三の柱部分材１３は、下端部と上端部に他の柱部分材の端部を固定するための柱用ガセットプレートを固定する複数のボルト穴が設けられる。
【００２３】
昇降足場装置は、作業台２０と巻上機３０と作業台昇降用ワイヤロープ４０と作業台吊金具５０と作業台保持用連結部材６０と吊り用具７０と作業台保持具８０とで構成される。
【００２４】
作業台２０は、上部で作業員が作業できる構造体である。
作業台２０は、Ｎ個の柱部分材に囲まれた空間に配置でき上部で作業員が作業できる構造体である。
例えば、作業台２０は、作業台本体２１と安全索２２と作業台吊り用アイプレート２３とで構成される。
作業台本体２１は、上から視て矩形の板構造体である。矩形の上面が作業面を形成する。
安全索は作業台本体２１の作業面からの落下を防止するための安全装置である。
作業台吊り用アイプレート２３は、作業台２０を吊るための吊り金具である。
後述する作業台保持具８０の下端部が、作業台吊り用アイプレート２３にボルト結合される。
【００２５】
巻上機３０は、巻掛けられたワイヤロープを巻上げまたは巻き下げできる機構である、巻上機３０は、作業台２０に固定される。
巻上機３０は、作業台の柱部分材に近い位置に固定された機構である。
例えば、４個の巻上機３０が、作業台本体２１の矩形の四隅に各々に固定される。
巻上機３０は、後述する作業台昇降用ワイヤロープ４０を巻き掛けられて、作業台昇降用ワイヤロープ４０に沿って作業台２０を昇降させる。
巻上機３０は、ケーシング３１と内歯歯車３２と中間歯車３３と小歯車３４とローラチェーン３５とリンク３６と連結金具３７とで構成される。
ケーシング３１は、内歯歯車３２を水平軸回りに回転自在に支持する構造体である。
内歯歯車３２は、外周に後述する作業台昇降用ワイヤロープ４０が嵌り込む溝が設けられ、内周に歯が設けられた円環状の部材である。
中間歯車３３は、内歯歯車３２の歯に噛みあう遊動する外歯歯車である。
小歯車３４は、中間歯車３２の歯に噛みあう外歯歯車である。
ローラチェーン３５は、一端を内歯歯車３２のほぼ上方に位置するようにケーシング３１に連結され、他端を内歯歯車３２のほぼ下方に位置する様に作業台本体２１に揺動自在に固定されたリンク３６に連結されたチェーンである。
ローラチェーン３５は、内歯歯車の外周に巻き掛けられた作業台昇降用ワイヤロープ４０を約１８０度の円弧の範囲で中心に向かって押付ける。
リンク３６は、連結金具３７を介して、作業台本体２１に揺動自在に支持される機械要素である。
連結金具３７は、作業台本体２１に固定される部材である。
作業台２０の重力が連結部金具３７を下方に引っ張ると、ローラチェーン３５が作業台昇降用ワイヤロープ４０を内歯歯車３２の中心部に向かって押付け、作業台昇降用ワイヤロープ４０と内歯歯車の外周の溝との摩擦力を大きくする。
駆動機構（図示せす）が小歯車３４を回転させると、作業台２０が作業台昇降用ワイヤロープ４０に沿って、上昇または下降する。
【００２６】
作業台昇降用ワイヤロープ４０は、巻上機３０に巻掛けられることをできるワイヤロープである。
作業台昇降用ワイヤロープ４０は、一端をシャックルを介して作業台吊金具５０に連結し、他端を基礎面Ｆに連結する。
例えば、４本の作業台昇降用ワイヤロープ４０が、上端部を４個の柱の上端部に固定された作業台吊金具５０に各々に連結され、垂直に延び、下端部を設置面Ｆの各々に固定される。
【００２７】
作業台吊金具５０は、作業台昇降用ワイヤロープ４０を連結され柱部分材１１、１２、１３の上端部に着脱可能に固定できる金具である。
作業台吊金具５０は、基礎部５１と張り出し部５２とを持っていてもよい。
基礎部５１は、柱部分材の上端部に設けられ他の柱部分材に固定するための柱用ガセットプレートを結合するボルト穴にボルト結合できる部分である。
張り出し部５２は、Ｎ個の柱部分材に囲まれた空間の中央に向かって張り出し先端部に作業台昇降用ワイヤロープ４０を連結される部分である。
柱用ガセットプレート１７は、上下方向に連なる柱部分材の付き合わせた端部に設けられたボルト穴にボルト結合される板材である。
【００２８】
作業台保持用連結部材６０は、柱部分材１１、１２、１３に固定され、後述する作業台保持具８０を介して作業台２０を支持する部材である。
作業台保持用連結部材６０は、ボルト穴より下方に固定された板部材でできていてもよい。
例えば、作業台保持用連結部材６０は、柱部分材に溶接固定されたアイプレートである。
【００２９】
吊り用具７０は、クレーンのフックに連結され、柱部分材１１、１２、１３の上端部を把持し、遠隔操作で開放できるシャックル構造である。
連結部７０は、吊り用具本体７１とセットピン７２とセットピン開放用ロープ７３と
ロックピン７４とロックピン開放用ロープ７５とシャックル７６とで構成される。
吊り用具本体７１は、下方に向いた二股部を持ったシャックルである。
連結部本体７１は、後述するセットピン７２を二股部を跨いで水平方向に案内自在に支持する案内穴を設けられる。
セットピン７２は、連結部本体７１の案内穴に嵌まりあうピン構造である。
セットピン７２は、側面に後述するロックピン７４の端面が嵌まりあう切り欠き部を設けられる。
セットピン７２が二股部を跨いで案内穴に支持されるときに、ロックピン７４が切り欠き部に嵌まり合う。
セットピン開放用ロープ７３は、セットピン７２を引っ張ることをできるロープである。セットピン７２が、柱部分材が嵌まった二股部を跨いで案内穴に嵌まっている状態で、セットピン開放用ロープ７３が引っ張られると、セットピン７２が移動して、二股部の間にはまされた柱部分材が開放される。
ロックピン７４は、吊り用具本体７１に上下方向に移動自在に案内されるピン構造である。
ロックピン開放用ロープ７５は、ロックピン７４を引っ張ることをできるロープである。ロックピン７４がセットピン７２の切り欠き部に嵌まっている状態で、ロックピン開放用ロープ７５が引っ張られると、ロックピン７４が移動して、ロックピン７４の下端部と切り欠き部の噛みあいが外れる。
【００３０】
作業台保持具８０は、作業台保持用連結部材６０と作業台２０とを着脱可能に連結する治具である。
作業台保持具は、一の部分を前記作業台に連結し他の部分を柱部分材の上部に着脱可能に連結してもよい。
例えば、作業台保持具８０は、一の部分を作業台保持用連結部材６０に着脱可能にボルト結合され、他の部分をを作業台２０に固定された作業台吊り用アイプレート２３にボルト結合される。
【００３１】
次に、本発明の実施形態に係る構造体組立方法を、図を基に、説明する。
図５は、本発明の実施形態に係る構造体組立方法の手順図である。図６は、本発明の実施形態に係る構造体組立方法の作用図その１である。図７は、本発明の実施形態に係る構造体組立方法の作用図その２である。図８は、本発明の実施形態に係る構造体組立方法の作用図その３である。図９は、本発明の実施形態に係る構造体組立方法の作用図その４である。図１０は、本発明の実施形態に係る構造体組立方法の作用図その５である。図１１は、本発明の実施形態に係る構造体組立方法の作用図その６である。図１２は、本発明の実施形態に係る構造体組立方法の作用図その７である。図１３は、本発明の実施形態に係る構造体組立方法の作用図その８である。
図中では、図の見やすさのために、一部の斜材を省略した。
【００３２】
構造体組立方法は、
準備工程Ｓ１０と第一固定工程Ｓ１１と第一上昇工程Ｓ１２と第一掛け替え工程Ｓ１３と第二固定工程Ｓ２１と第二上昇工程Ｓ２２と第二掛け替え工程Ｓ２３と第三固定工程Ｓ３１と第三上昇工程Ｓ３２と・・・・とで構成される。
以下、第Ｍ固定工程と第Ｍ上昇工程と第Ｍ掛け替え工程とが連続して続いて、複数の柱部分材が連なった柱で構成される構造体を建造できる。
【００３３】
準備工程Ｓ１０は、昇降足場装置を準備する工程である。
例えば、上部で作業員が作業できる作業台２０と作業台に固定されたＮ個の巻上機３０と巻上機に巻掛けられることをできるＮ個の作業台昇降用ワイヤロープ４０と作業台昇降用ワイヤロープを連結され柱部分材の上端部に着脱可能に固定できる少なくとも２Ｎ個の作業台吊金具５０と作業台保持用連結部材６０と吊り用具７０と作業台保持具８０とを準備する。
【００３４】
第一固定工程Ｓ１１は、上端部にＮ個の作業台吊金具５０を各々に固定したＮ個の第一の柱部分材１１をクレーンで吊り上げて、Ｎ個の第一の柱部分材１１の下端部を基礎面に各々に固定する工程である。
図６は、第一固定工程Ｓ１１の様子を示している。
予め、作業台吊金具５０を第一の柱部材の上端部に固定する。
予め、作業台昇降用ワイヤロープ４０を作業台吊金具５０に連結する。
作業台保持用連結部材６０が、第一の柱部材１１の上端部に固定される。
クレーンのフックに吊り用具７０を吊り下げて、吊り用具７０を第一の柱部分材の上端部に結合する。
吊り用具７０の二股部に柱部分材のウェッブを差し込んで、セットピン７２をウエッブに設けられた穴に挿入し、ロックピン７４でセットピン７２をロックする。
クレーンで第一の柱部分材１１を吊り下げて、基礎面の所定の位置に置く。
第一の柱部分材１１の下端部のフランジを基礎面にボルト結合する。
ロックピン開放用ロープ７５とセットピン開放用ロープ７３を順に引っ張り、吊り用具７０を柱部分材から外す。
【００３５】
第一上昇工程Ｓ１２は、作業台２０をＮ個の第一の柱部分材１１に囲まれた空間に配置し、第一の柱部分材１１に固定された作業台吊金具５０から垂れ下がる作業台昇降用ワイヤロープ４０を巻上機３０に巻掛け、巻上機を３０駆動して作業台２０を第一の柱部分材１１の上端部の近傍まで上昇させる工程である。
図７は、第一上昇工程Ｓ１２の様子を示している。
作業台２０を４個の柱で囲まれた空間で組み立てる。
４個の第一の柱部分材１１に固定された作業台吊金具５０から垂れ下がる４個の作業台昇降用ワイヤロープ４０を４個の巻上機３０に各々に巻掛ける。
巻上機３０を作動させると、作業台２０が４個の作業台昇降用ワイヤロープ４０に沿って上昇する。
作業台２０を上昇させるに従って、梁１５を柱部分材の梁用ガセットプレート１４に連結する。
さらに、作業台２０を上場または下降させて、斜材１６を固定する。
【００３６】
第一掛け替え工程Ｓ１３は、作業台２０を第一の柱部分材１１に着脱可能に連結した後で、作業台昇降用ワイヤロープ４０を送り出して緩め、作業台吊金具５０を第一の柱部分材１１から外す工程である。
図８は、第一掛け替え工程Ｓ１３の様子を示す。
４個の作業台保持具８０の下端部を作業台２０の４個のアイプレートに各々にボルト結合する。
４個の作業台保持具８０の上端部を４個の第一の柱部分材１１に固定された作業台保持用連結部材に各々にボルト結合する。
作業台昇降用ワイヤロープ４０を送り出して緩める。
作業台吊金具５０を第一の柱部分材１１から外す。外した作業台吊金具５０を地上に降ろす。
地上では、次の工程を実施しているあいだに、外した作業台吊金具５０を第三の柱部分材１３にボルト結合する。
以下の組立工程が進みにつれて、第二の柱部分材１２から外した作業台吊金具５０を第四の柱部分材にボルト結合し、第三の柱部分材１３から外した作業台吊金具５０を第五の柱部分材にボルト結合し、・・・第Ｍの柱部分材から外した作業台吊金具５０を第Ｍ＋２の柱部分材にボルト結合する。
【００３７】
第二固定工程Ｓ２１は、上端部に作業台吊金具５０を固定されたＮ個の第二の柱部分材１２をクレーンで吊り上げて、Ｎ個の第二の柱部分材１２の下端部をＮ個の第一柱部分材１１の上端部に各々に固定する。
図９は、第二固定工程Ｓ２１の様子を示している。
予め、上端部に作業台吊金具５０を固定された第二の柱部材を準備されている。
予め、作業台昇降用ワイヤロープ４０が作業台吊金具５０に連結される。
予め、作業台保持用連結部材６０が、第二の柱部分材１２に固定される。
クレーンのフックに吊り用具７０を吊り下げて、吊り用具７０を第二の柱部分材１２の上端部に結合する。
クレーンで第二の柱部分材１２を吊り下げて、第一の柱部分材の上端部に付き合わせる。
柱用ガセットプレートを第一の柱部分材の上端部と第二の柱部分材の下端部との当てて、ボルト結合する。
【００３８】
第二上昇工程Ｓ２２は、第二の柱部分材１２に固定された作業台吊金具５０から垂れ下がった作業台昇降用ワイヤロープ４０を巻上機３０に巻掛けた後で、作業台２０を第一の柱部分材１１から外し、巻上機３０を駆動して作業台２０を第二の柱部分材１２の上端部の近傍まで上昇させる工程である。
図１０は、第二上昇工程Ｓ２２の様子を示す。
４個の第二の柱部分材１２に固定された作業台吊金具５０から垂れ下がる４個の作業台昇降用ワイヤロープ４０を４個の巻上機３０に各々に巻掛ける。
巻上機３０を作動させて、作業台２０を４個の作業台昇降用ワイヤロープ４０に沿って僅かに上昇させる。
作業台保持具８０の上端部と作業台保持用連結部材６０とを繋ぐボルトを外す。
巻上機３０を作動させると、作業台２０が４個の作業台昇降用ワイヤロープ４０に沿って上昇する。
作業台２０を上昇させるに従って、梁１５を第二の柱部分材１２の梁用ガセットプレート１４に連結する。
さらに、作業台２０を上場または下降させて、斜材１６を梁１５に固定する。
【００３９】
第二掛け替え工程Ｓ２３は、作業台２０を第二の柱部分材１２に着脱可能に連結した後で、作業台昇降用ワイヤロープ４０を送り出して緩め、作業台吊金具５０を第二の柱部分材１２から外す工程である。
図１１は、第二掛け替え工程Ｓ２３の様子を示す。
４個の作業台保持具８０の上端部を４個の第二の柱部分材１２に固定された作業台保持用連結部材６０に各々にボルト結合する。
作業台昇降用ワイヤロープを送り出して緩める。
作業台吊金具５０を第二の柱部分材１２から外す。外した作業台吊金具５０を地上に降ろす。
地上で、次の工程を実施している場合に、外した作業台吊金具５０を第四の柱部分材にボルト結合する。
【００４０】
第三固定工程Ｓ３１は、第１の柱部分材１１から外した作業台吊金具５０を固定された第三の柱部分材１３をクレーンで吊り上げて、Ｎ個の第三の柱部分材１３の下端部をＮ個の第二柱部分材１２の上端部に各々に固定する。
図１２は、第三固定工程Ｓ３１の様子を示している。
予め、上端部に作業台吊金具５０を固定された第三の柱部材を準備されている。
予め、作業台保持用連結部材６０が、第三の柱部分材１３に固定される。
クレーンのフックに吊り用具７０を吊り下げて、吊り用具７０を第三の柱部分材１３の上端部に結合する。
クレーンで第三の柱部分材１３を吊り下げて、第二の柱部分材の上端部に付き合わせる。
柱用ガセットプレートを第二の柱部分材の上端部と第三の柱部分材の下端部との当てて、ボルト結合する。
【００４１】
第三上昇工程は、第三の柱部分材１３に固定された作業台吊金具５０から垂れ下がった作業台昇降用ワイヤロープ４０を巻上機３０に巻掛けた後で、作業台２０を第二の柱部分材１２から外し、巻上機３０を駆動して作業台２０を第三の柱部分材１３の上端部の近傍まで上昇させる工程である。
図１３は、第三上昇工程Ｓ３２の様子を示す。
４個の第三の柱部分材１３に固定された作業台吊金具５０から垂れ下がる４個の作業台昇降用ワイヤロープ４０を４個の巻上機３０に各々に巻掛ける。
巻上機３０を作動させて、作業台２０を４個の作業台昇降用ワイヤロープ４０に沿って僅かに上昇させる。
作業台保持具８０の上端部と作業台保持用連結部材６０とを繋ぐボルトを外す。
巻上機３０を作動させると、作業台２０が４個の作業台昇降用ワイヤロープ４０に沿って上昇する。
作業台２０を上昇させるに従って、梁１５を第三の柱部分材１３の梁用ガセットプレート１４に連結する。
さらに、作業台２０を上場または下降させて、斜材１６を梁１５に固定する。
【００４２】
以下、順に掛け替え工程と固定工程と上昇工程とを繰り返すと、複数の柱部分材でできた柱を組み立てることができ、Ｎ個の柱で構成された構造体を組み立てることができる。
【００４３】
上述の実施形態の構造体組立方法と昇降足場装置とを用いれば、以下の効果を発揮する。
予め昇降足場装置を準備し、作業台昇降用ワイヤロープ４０をぶら下げた作業台吊金具５０を固定した第一の柱部分材１１を吊り上げて基礎面に固定し、作業台昇降用ワイヤロープ４０を作業台２０に設けた巻上機３０に巻きかけて、作業台２０を第一の柱部分材１１の上端部に昇降させ、作業台２０を第一の柱部分材１１に固定した後で、作業台昇降用ワイヤロープ４０を緩めて作業台吊金具５０を外し、作業台昇降用ワイヤロープ４０をぶら下げた作業台吊金具５０を固定した第二の柱部分材１２を吊り上げて、第一の柱部分材１１の上端部に固定し、第二の柱部分材１２に固定した作業台吊金具５０から下がった作業台昇降用ワイヤロープ４０を作業台２０に設けた巻上機３０に巻きかけて、作業台２０を第二の柱部分材１２の上端部に昇降させ、作業台２０を第二の柱部分材１２に固定した後で、作業台昇降用ワイヤロープ４０を緩めて作業台吊金具５０を外し、作業台昇降用ワイヤロープ４０をぶら下げた作業台吊金具５０を固定した第三の柱部分材１３を吊り上げて、第二の柱部分材１２の上端部に固定する様にしたので、柱部分材に次の柱部分材を固定し、その柱部分材の上に次の柱部分材を固定して柱を形成する際に、柱部分材の上部に作業台吊金具５０を着脱し、作業台吊金具５０から作業台昇降用ワイヤロープ４０をおろし、作業台昇降用ワイヤロープ４０を利用して作業台２０を上昇させて、柱部分材の下端部を柱部分材の上端部に固定する作業を作業台２０でおこない、作業の安全を確保しつつ、作業効率を向上させることをできる。
また、２Ｎ個の作業台吊金具を準備し、第一の柱部分材１１から外した作業台吊金具５０を第三の柱部分材にボルト結合し、第二の柱部分材１２から外した作業台吊金具５０を第四の柱部分材にボルト結合し、第三の柱部分材１３から外した作業台吊金具５０を第五の柱部分材にボルト結合し、・・・第Ｍの柱部分材から外した作業台吊金具５０を第Ｍ＋２の柱部分材にボルト結合する様にしたので、より作業効率を向上させることをできる。
また、作業台保持具８０を介して作業台２０と作業台保持用連結部材６０とを連結して作業台２０を柱部分材に着脱可能に連結した後で、作業台昇降用ワイヤロープ４０を巻上機３０から外し、作業台吊金具５０を柱部分材から外す様にしたので、作業台２０の重量を柱部分材に預けたまま、柱部分材の上に次の柱部分材を固定する作業と、作業台吊金具５０を他の柱部分材に連結する作業とを並行しておこなうことをでき、作業効率が向上する。
また、作業台吊金具５０が柱部分材の上端部に設けられ他の柱部分材に固定するための柱用ガセットプレート１７を結合するためのボルト穴にボルト結合でき、
作業台保持用連結部材６０がボルト穴より下方に固定された板部材でできている様にしたので、作業台２０の重量を柱部分材に預けたまま、柱部分材と他の柱部分材とを固定するためのボルト穴を流用して作業台吊金具５０を柱部分材に着脱できる。
【００４４】
以上説明したように本発明に係る複数の柱部分材を長手方向に互いに連結して形成されるＮ個の柱を持つ構造体を基礎面に起立する様に組み立てるための昇降足場装置は、その構成により、以下の効果を有する。
Ｎ個の柱部分材に囲まれた空間に置かれた作業台２０とＮ個の柱部分材の近傍に位置する様に作業台に設けられ巻きかけられたワイヤロープを巻上げ、または巻き下げできる巻上機とを用意し、Ｎ個の柱部分材の上端部から空間の中央に向かって張り出した位置からＮ個の作業台昇降用ワイヤロープをたらして巻上機に巻きかける様にしたので、Ｎ個の作業台吊金具の張り出し部から各々に吊り下げられたＮ個の作業台昇降用ワイヤロープがＮ個の巻上機に各々に巻きかけられ、安定して作業台をＮ個の柱部分材に囲まれた空間の中を昇降できる。
また、一の部分を作業台に連結し他の部分を柱部分材の上部に着脱可能に連結する作業台保持具を準備したので、作業台保持具をもちいて作業台の重量を柱部分材にあずけて、作業台吊金具を着脱できる。
【００４５】
本発明は以上に述べた実施形態に限られるものではなく、発明の要旨を逸脱しない範囲で各種の変更が可能である。
４個の柱で構成された構造体の組立を例に説明したが、これに限定されず、２個、３個、５個・・・・Ｎ個の柱で構成された構造体の組立であってもよい。
【図面の簡単な説明】
【００４６】
【図１】本発明の実施形態に係る昇降足場装置の斜視図である。
【図２】本発明の実施形態に係る昇降足場装置の斜視部分図である。
【図３】本発明の実施形態に係る連結器の断面図である。
【図４】本発明の実施形態に係る巻上機の断面図である。
【図５】本発明の実施形態に係る構造体組立方法の手順図である。
【図６】本発明の実施形態に係る構造体組立方法の作用図その１である。
【図７】本発明の実施形態に係る構造体組立方法の作用図その２である。
【図８】本発明の実施形態に係る構造体組立方法の作用図その３である。
【図９】本発明の実施形態に係る構造体組立方法の作用図その４である。
【図１０】本発明の実施形態に係る構造体組立方法の作用図その５である。
【図１１】本発明の実施形態に係る構造体組立方法の作用図その６である。
【図１２】本発明の実施形態に係る構造体組立方法の作用図その７である。
【図１３】本発明の実施形態に係る構造体組立方法の作用図その８である。
【符号の説明】
【００４７】
Ｆ    基礎面
１０    構造体
１１    第一の柱部分材
１２    第二の柱部分材
１３    第三の柱部分材
１４    梁用ガセットプレート
１５    梁
１６    斜材
１７    柱用ガセットプレート
２０    作業台
２１    作業台本体
２２    安全索
２３    作業台吊り用アイプレート
３０    巻上機
３１    ケーシング
３２    内歯歯車
３３    中間歯車
３４    小歯車
３５    ローラチェーン
３６    リンク
３７    連結金具
４０    作業台昇降用ワイヤロープ
５０    作業台吊金具
５１    基礎部
５２    張り出し部
６０    作業台保持用連結部材
７０    吊り用具
７１    吊り用具本体
７２    セットピン
７３    セットピン開放用ロープ
７４    ロックピン
７５    ロックピン開放用ロープ
７６    シャックル
８０    作業台保持具
【図１】
0005010354.tif 000002
【図２】
0005010354.tif 000003
【図３】
0005010354.tif 000004
【図４】
0005010354.tif 000005
【図５】
0005010354.tif 000006
【図６】
0005010354.tif 000007
【図７】
0005010354.tif 000008
【図８】
0005010354.tif 000009
【図９】
0005010354.tif 000010
【図１０】
0005010354.tif 000011
【図１１】
0005010354.tif 000012
【図１２】
0005010354.tif 000013
【図１３】
0005010354.tif 000014